(57)【要約】      （修正有）【課題】災害時、生活基盤の確保ができるようにする為の生活用水の取水と貯水及び給水を自家発電によりポンプを駆動させ、独立的に行うことができるシステムの提供。【解決手段】地下水を取水するポンプ８、貯水するタンク１０、給水するポンプ１１、配管１３、バルブ、駆動するための電源、蓄電池６、および発電装置を備え、使用する地下水に低温でミネラル分の多い水を用い、その吸熱利用と断熱利用を用い、さらに地下水中のミネラル分の析出による塗膜化を利用する防災自立型支援システム。【選択図】図１
2016017324.tif 000002
【特許請求の範囲】
【請求項１】
地下水を取水するポンプ、貯水するタンク、給水するポンプ、配管、バルブ、駆動するための電源、蓄電池、および発電装置を備えた防災自立型支援システム
【請求項２】
地下水に低温でミネラル分の多い水を用い、その吸熱利用と断熱利用を用いる請求項１に記載の防災自立型支援システム
【発明の詳細な説明】
【技術分野】
【０００１】
この発明は、広域災害により公的救済支援が受けられなくても、生活基盤の確保ができるようにする為の重要な生活用水の取水と貯水及び給水を自家発電電力によりポンプを駆動させ、完全独立的に行うことができるシステムである。
【背景技術】
【０００２】
近年、広域災害が発生し、国家を揺るがすほどの甚大な被害が地質歴としてみれば、頻繁に発生している。早急に防災対策としての備えをすることが必要である。東日本大震災は、津波や放射能汚染といった部分があるものの、神戸淡路大震災と同様な防災対策が必要であり、身近にあった情報をもとに、対策できることは幸いと言える。
【０００３】
企業に対しては、法令で対策を進めているが、民間に対しては、今のところ自助努力に依存となっている。市町村では、自治会を通して、いろいろな努力はされているが、個人生活と同様に必須なものではあるが、優先順位は低く、お座なりになりがちである。行政、公共機関が、自助、共助、公助の順位を強調している。つまり、「自分の事は、自分で守りなさい。」と。事実、広域において、同時に発生する訳であるから、無理な話でもある。
【０００４】
冷静に考えてみると、人が我慢できない事の順番はどうか。１．呼吸（空気が必要）２．トイレ（水が必要）３．飲み水（飲料水が必要）  トップスリーは、間違いなく確定であろう。ここで、トイレの事を軽視している事が少なくない。簡易トイレなるものが販売されているが、どの程度実用に耐えうるのであろうか。人口集中地域では幸い、水洗トイレが普及しており、バケツ１杯の水があれば、済ませることができる。トイレの為に、寒空の中、給水車に並んでいる事を想像してみよう。並んだお陰で、その内１杯は、冷えた為にすぐ使う事になる。
【０００５】
国内の人口が集中している地域は、イコール、水脈がある地域である。２０メートルも掘れば、表層水を得られる。この水を、利用できる環境に整えることができれば、優先順位の２番は、備えとして確保できる。また、精製して飲料水にすることも不可能ではない。
【先行技術文献】
【特許文献】
【０００６】
【特許文献１】特願２００３−２７８３１８号公報
【発明の概要】
【発明が解決しようとする課題】
【０００７】
復興、復旧への近道は自立型志向の防災対策が必須である。被災状況では避難が必要であるが、移住することは生活の正常化へ回復させることを遅らせる。
広域災害では救援され難く、避難移動（避難路リスク）は、必ずしも安全とは言えない。
飲食は、必須であるが、生活水準維持（トイレ、洗面、入浴等）することは、とても重要なことであり、被災生活の精神衛生上、確保したいところである。
【課題を解決するための手段】
【０００８】
本発明は、前記の課題を解決するもので、敷地内に井戸を掘り、適正量を貯水する。また、必要なところ（２階、３階等）まで給水する。給水ポンプの動力は、ソーラーパネルによる自家発電電力を蓄電し、夜間電でも給水利用できるようにする防災自立型支援システムであり、
第１の発明は、地下水を取水するポンプ、貯水するタンク、給水するポンプ、配管、バルブ、駆動するための電源、蓄電池、および発電装置を備えた防災自立型支援システムである。
また、第２の発明は、第１の発明において、地下水に低温でミネラル分の多い水を用い、その吸熱利用と断熱利用を用いる請求項１に記載の防災自立型支援システムである。
【発明の効果】
【０００９】
災害時において、適量の生活用水により、日常に近いライフスタイルをおくる事ができ、避難所生活での不便且つ不満な生活を強いられない。備えがあることは、平時においても、精神的に余裕が生まれる。  
【００１０】
植栽への灌水、清掃・洗浄時の利用、ビオトープ、噴水、ミストによる冷却、ミネラル成分（スケール）の断熱利用（屋上防水消耗品材料に添加、アスファルト、ゴムシート、塩ビシート、ウレタン塗膜）。
【図面の簡単な説明】
【００１１】
【図１】本発明のシステム構成を示す図である。
【図２】ミネラル塗膜化システム構成を示す図である。
【発明を実施するための形態】
【００１２】
この自立型支援システムは、一般外部（電力、上水道）からの補給せずに稼働するシステム構成をとる。水は地下水、電力は太陽光から貯水、蓄電し、常時（制限はある）使用できる環境を提供する。
【００１３】
以下に、本発明の実施形態を説明する。
井戸（７）から水中ポンプ（８）より配管（９）を通じて、貯水槽（１０）に汲みあげる。貯水槽（１０）から給水ポンプ（１１）により各階のフロア（１８，１９，２０）に給水栓（共同）（１５，１６，１７）を設ける。水中ポンプ（８）、給水ポンプ（１１）の駆動電力は、ソーラーパネル（１）より発電した電力を蓄電池（６）に充電した電力を使用する。従って、昼夜において、給水栓（１２，１５、１６，１７）を開けると給水される環境が得られる。
【００１４】
各ポンプ（７，１１）、タンク（１０）、給水栓数（１２，１５，１６，１７）等は、住宅事情（建物構造、居住者数等）（２１）にあわせた仕様とする。また、井戸（７）の取水能力によっては、複数の井戸を利用、若しくは、コレクターによる雨水利用も手段とする。
【００１５】
井水（地下水）の平時利用として、植栽への灌水、池への補給水、環境温度を下げるミスト散布、打ち水、ミネラル成分による屋上塗膜補助材として使用が考えられる。
【００１６】
植栽、池、打ち水等は、地球上で限られた使える貴重な水（上水道）の消費を抑えられる事は、利用者の経費削減のみならず、社会貢献（インフラコスト低減）になると言っても過言でない。
【００１７】
ミネラル成分の塗膜化利用は、天然成分の利用になり、豊富な地下資源、再生エネルギー、日射の利用で実現できる。この塗膜成分は、地質にもよるが、断熱材に使用されている石灰が主成分となる。宇宙船が大気圏に突入する際に使われている断熱材成分のシリカも含まれている。地下水は、上水道や雨水に比べて、これらの成分は、数十倍以上の含有率であり、付加価値性が有効にすることができる。
【００１８】
基本原理は、屋上（２２）に地下水を戸井（雨水用）へ流出しないよう均一に散布する。太陽の日射熱にて蒸発させ、溶けている金属成分（ミネラル分）を屋根面（２５）に析出させる。このサイクルを繰り返すことで、結晶を成長させて、塗膜化する。屋根材の表面を覆う事で、熱劣化、紫外線劣化の防止効果を得ることで、断熱効果、耐用年数の延命が得られる。
【００１９】
この塗膜化は、散水を制御する装置（２３）が重要になる。装置(２３)は、天候の状況を検出し、蒸発予測をし、適正な水量を均等に散水する為に散水管（２４）のバルブコントロール（２３）をする。尚、この装置は、ソーラーパネル（２３）にて駆動するスタンドアロン仕様となっている。また、データーロガ―機能（２３）を備え、動作履歴が得られる。
【００２０】
塗膜化は地下水中のミネラル分が多いほど、短時間で達成される。例えば、Ca量が2０ｍｇ／(リットル)以上、Mg量が１０ｍｇ／(リットル)以上の地下水を使用すると効果が大きい。Siが含まれているとその効果はさらに大きくなる。
【符号の説明】
【００２１】
１  ソーラーパネル   ２  送電線    ３  スチール倉庫     ４  喚起ダクト
５  コンセントＩ／Ｆ ６  充電装置  ７  井戸穴    ８  水中ポンプ       
９  汲み上げ配管     １０  貯水槽  １１  給水ポンプ            
１２  給水栓（外用） １３  給水配管  
１４  空気抜き弁            １５  3階給水栓             １６  2階給水栓             
１７  １階給水栓            １８  ３階テラス（通路）
１９  ２階テラス（通路）    ２０  １階テラス（通路）    ２１  マンション建屋
２２  マンション屋上 ２３  塗膜生成制御装置             ２４  散水管
２５  屋根面  ２６  散水状態（排水されない程度に流出される）
【図１】
2016017324.tif 000003
【図２】
2016017324.tif 000004